(57)【要約】【課題】ファッション性が向上され、しかも後頭部や首筋の日焼けが防止される防止やヘルメットなどの頭部覆いを提供する。【解決手段】帽子本体１０と、帽子本体１０に着脱自在に装着される日除け具２０とを備えてなる帽子１であって、帽子本体１０の後縁部下端部１３には、所要数の係止部材１５が所定間隔で配設され、日除け具２０の日除け本体２１の基端には、係止部材１５に係止される被係止部材２４が配設された係止部２２が起立状に備えられている。【選択図】図１
0003123295.tif 000002
【実用新案登録請求の範囲】
【請求項１】
頭部覆い本体と、該頭部覆い本体に着脱自在に装着される日除け具とを備えてなる頭部覆いであって、
前記頭部覆い本体の後縁部下端部には、所要数の係止部材が所定間隔で配設され、
前記日除け具には、前記係止部材に係止される被係止部材が配設されてなる
ことを特徴とする頭部覆い。
【請求項２】
日除け具が、日除け本体と、該日除け本体の基端に起立形成された係止部とを備え、前記係止部に被係止部材が配設されてなることを特徴とする請求項１記載の頭部覆い。
【請求項３】
日除け具が、つば状とされてなることを特徴とする請求項１記載の頭部覆い。
【請求項４】
日除け具が、布状体とされてなることを特徴とする請求項１記載の頭部覆い。
【請求項５】
日除け具が、色彩およびまたは模様を有してなることを特徴とする請求項１記載の頭部覆い。
【請求項６】
日除け具が、機能性素材からなることを特徴とする請求項１記載の頭部覆い。
【請求項７】
機能性素材が、紫外線反射特性または紫外線吸収特性を有してなることを特徴とする請求項６記載の頭部覆い。
【請求項８】
機能性素材が、虫除け効能を有してなることを特徴とする請求項６記載の頭部覆い。
【請求項９】
機能性素材が、芳香を有してなることを特徴とする請求項６記載の頭部覆い。
【請求項１０】
頭部覆い本体に配設される係止部材と、日除け具とを備えてなることを特徴とする日除け具キット。
【考案の詳細な説明】
【技術分野】
【０００１】
本考案は、帽子やヘルメットなどの頭部覆いに関する。さらに詳しくは、帽子やヘルメットなどの後縁部に着脱自在に装着された日除け具を有する帽子やヘルメットなどの頭部覆いに関する。
【背景技術】
【０００２】
従来より、農作業などの屋外作業や野球、ゴルフなどの屋外スポーツにおいては、頭部や顔などの日焼けを防止したり、日射病を防止したりするため、帽子が用いられている。
【０００３】
この帽子は、いわゆる野球帽にあっては、よく知られているように、頭部を覆う頭部覆いの前縁部下端につばが設けられた形態とされている。また、いわゆる麦藁帽にあっては、よく知られているように、頭部を覆う頭部覆いの下端につばがリング状に設けられた形態とされている。
【０００４】
従来の帽子はかかる形態とされているため、後頭部および首筋の日焼けを防止することができない。そのため、タオルの一端を頭に載せ他端を首の付け根まで垂らしてその上から帽子を被ることがなされている。
【０００５】
また、屋外の工事現場においては作業員の頭部を保護するため、ヘルメットの着用がなされている。この屋外の工事現場においても、同様のスタイルが散見される。
【０００６】
しかしながら、このようなスタイルは、急場しのぎの印象をぬぐえず、またスタイルも悪いという問題がある。それに加えて、工事現場においては、首の付け根まで垂らしたタオルが機械などに巻き込まれた場合、作業員が怪我をするおそれがあるという別の問題もある。
【考案の開示】
【考案が解決しようとする課題】
【０００７】
本考案はかかる従来技術の課題に鑑みなされたものであって、ファッション性が向上され、しかも後頭部や首筋の日焼けが防止される帽子やヘルメットなどの頭部覆いを提供することを目的としている。
【課題を解決するための手段】
【０００８】
本考案の頭部覆いは、頭部覆い本体と、該頭部覆い本体に着脱自在に装着される日除け具とを備えてなる頭部覆いであって、前記頭部覆い本体の後縁部下端部には、所要数の係止部材が所定間隔で配設され、前記日除け具には、前記係止部材に係止される被係止部材が配設されてなることを特徴とする。
【０００９】
本考案の頭部覆いにおいては、日除け具が、日除け本体と、該日除け本体の基端に起立形成された係止部とを備え、前記係止部に被係止部材が配設されてなるのが好ましい。
【００１０】
本考案の頭部覆いにおいては、日除け具が、つば状とされていてもよく、布状体とされていてもよい。
【００１１】
また、本考案の頭部覆いにおいては、日除け具が、色彩およびまたは模様を有しているのが好ましい。
【００１２】
さらに、本考案の頭部覆いにおいては、日除け具が、機能性素材からなるのが好ましい。その場合、機能性素材が、紫外線反射特性や紫外線吸収特性を有していたり、虫除け効能を有していたり、芳香を有していたりするのが好ましい。
【考案の効果】
【００１３】
本考案によれば、ファッション性の向上を図りながら、後頭部や首筋の日焼け防止および日射病の防止が図られるという優れた効果が得られる。
【考案を実施するための最良の形態】
【００１４】
以下、添付図面を参照しながら本考案を実施形態に基づいて説明するが、本考案はかかる実施形態のみに限定されるものではない。なお、以下の実施形態においては、頭部覆いとして帽子を例に取り説明がなされている。
【００１５】
実施形態１
図１に本考案の実施形態１に係る帽子を斜視図で示し、図２に日除け具を帽子本体から分離した状態を斜視図で示し、図３に帽子を被った状態を概略図で示す。
【００１６】
帽子１は、図１および図２に示すように、帽子本体１０と、帽子本体１０の後縁部下端部１３に着脱自在に装着される日除け具２０とを主要構成要素として備えてなるものとされる。
【００１７】
帽子本体１０は、頭部覆い１１の前縁部下端１２につば１４が設けられたいわゆる野球帽タイプとされ、後縁部下端部１３には日除け具２０を着脱自在に装着するための所要数（図示例では２個）の係止部材１５が所定間隔で配設されている。
【００１８】
日除け具２０は、つば状に形成された日除け本体２１と、日除け本体２１の基端部に起立状に設けられた係止部２２とを備えてなるものとされる。
【００１９】
日除け本体２１は、図１および図２に示す例においては、先端部が円弧状に形成されたつば状とされているが、日除け本体２１の形態は、図１および図２に示す例に限定されるものではなく、各種形態とすることができ、例えば、図４〜６に示すように、角型状のつば２３とすることもできる。
【００２０】
また、日除け本体２１の素材および色彩は、帽子本体１０の素材と同一の素材および色彩とすることもできるが、ファッション性を考慮すれば、他の素材および色彩とすることもでき、また模様を付すこともできる。例えば、日除け本体２１の素材は、紫外線を吸収する特性を有する模様付カラー合成樹脂とされてもよい。また、帽子本体１０の素材が一般的な布地であれば、日除け本体２１の素材は網目状の素材（図４〜５参照）とすることもできる。
【００２１】
係止部２２は、帽子本体１０の後縁部下端部１３に沿うよう日除け本体２１基端から起立状に形成されてなるものとされ、その帽子本体１０の後縁部下端部１３との当接面には前記係止部材１５に係止される被係止部材２４が配設されている。
【００２２】
ここで、係止部材１５および被係止部材２４は、例えばマジックテープ（登録商標）とされるが、これに限定されるものではなく、日除け具２０を帽子本体１０に着脱自在に装着できる各種部材とすることができ、例えばスナップとすることもできる。
【００２３】
このように、実施形態１によれば、日除け具２０をデザイン性の優れたものとすることにより、従来の帽子に比して日除け効果の向上および日射病予防の効果の向上を図りながら、ファッション性の向上も図ることができる。また、日除け具２０は着脱自在とされているので、気分に応じて好みの日除け具２０に付け替えが可能であり、嗜好性の向上を図ることができる。
【００２４】
実施形態２
図７に本考案の実施形態２に係る帽子１Ａを斜視図で示し、図８に日除け具２０を帽子から分離した状態を斜視図で示し、図９に帽子１Ａを被った状態を概略図で示す。実施形態２は実施形態１を改変してなるものであって、日除け具２０を布状体３０としてなるものである。なお、図７〜図９において、図１〜図３と同一の符号を付したものは、同一または類似の構成要素を示す。
【００２５】
日除け具２０を構成している布状体３０は、図７および図８に示すように、幅は帽子本体１０の後縁部下端部１３に沿う長さとされ、丈は帽子本体１０を頭に被った状態で肩に届く程度とされ、その上端部３１内面には、帽子本体１０の後縁部下端部１３に配設された係止部材１５に係止される被係止部材３２が配設されて係止部３３が形成されている。
【００２６】
布状体３０の素材は、通常の布とすることもできるが、紫外線反射特性や紫外線吸収特性を有する機能性素材とされるのが、日除け効果の向上を図る点から好ましい。
【００２７】
このように、実施形態２によれば、日除け具２０が布状体３０とされているので、デザインの自由度が実施形態１に比して飛躍的に向上するため、ファッション性のより一層の向上を図ることができる。このファッション性のより一層の向上は、布状体３０を折りたたんでポケットにいれておくことができるので、日除け具３０の携帯が容易となるため、帽子を被る場所の雰囲気に応じて気軽に日除け具の付け替えが可能となるところから加速される。
【００２８】
なお、布状体３０をヘルメットに適用した場合、万が一、布状体３０が機械に巻き込まれたとしても、布状体３０は容易にヘルメットから外れるので、作業員が機械に巻き込まれて怪我などをするおそれはない。
【００２９】
以上、本考案を実施形態に基づいて説明してきたが、本考案はかかる実施形態のみに限定されるものではなく、種々改変が可能である。例えば、日除け部２０を構成する素材に虫除け剤を含浸させて日除け部２０に虫除け機能を付加してもよい。また、日除け部２０を構成する素材にリラックスさせる香りを含ませて、リラックス効果を持たせるようにしてもよい。
【００３０】
また、実施形態においては、帽子に係止部材が配設されているが、既に販売されている帽子への普及を図る観点から、日除け具と、帽子に配設される係止部材とをキットにして販売することもできる。
【産業上の利用可能性】
【００３１】
本考案は、帽子やヘルメットなどの頭部覆いに適用できる。
【図面の簡単な説明】
【００３２】
【図１】本考案の実施形態１に係る帽子の斜視図である。
【図２】帽子本体から日除け具を分離した状態の斜視図である。
【図３】同実施形態の帽子を被った状態の概略図である。
【図４】同実施形態における日除け具の変形例の図１相当図である。
【図５】同図２相当図である。
【図６】同図３相当図である。
【図７】本考案の実施形態２に係る帽子の斜視図である。
【図８】帽子本体から日除け具を分離した状態の斜視図である。
【図９】同実施形態の帽子を被った状態の概略図である。
【符号の説明】
【００３３】
１      帽子
１０      帽子本体
１１      頭部覆い
１４      つば
１５      係止部材
２０      日除け具
２１      日除け本体
２２      係止部
２４      被係止部材
３０      布状体
３２      被係止部材
【図１】
0003123295.tif 000003
【図２】
0003123295.tif 000004
【図３】
0003123295.tif 000005
【図４】
0003123295.tif 000006
【図５】
0003123295.tif 000007
【図６】
0003123295.tif 000008
【図７】
0003123295.tif 000009
【図８】
0003123295.tif 000010
【図９】
0003123295.tif 000011